(57)【要約】【課題】本体部から容器部を取り外す際にカップ台に対するカップ本体の螺合の緩みにより被調理物が漏れ出ることを防止できるミキサーを提供する。【解決手段】ミキサー１には、動力源１２が収容される本体部１０と、本体部１０に螺着され、被調理物を収容可能な容器部２０と、が備えられ、容器部２０が、底部開口２１ｃを有する筒状のカップ本体２１と、動力源１２の動力により回転軸２６周りに回転駆動されるカッター刃２４が設けられると共に螺着により底部開口２１ｃを封止可能なカップ台２２と、を有し、本体部１０に対する容器部２０の螺合解除向きとカップ台２２に対するカップ本体２１の螺合解除向きとが同じ向きになるように構成され、容器部２０を本体部１０に螺着した状態で、カップ本体２１とカップ台２２とが相対回転しないように規制する規制部４０が備えられている。【選択図】図３
2020014547.tif 000002
【特許請求の範囲】
【請求項１】
動力源が収容される本体部と、
前記本体部に螺着され、被調理物を収容可能な容器部と、が備えられ、
前記容器部が、底部開口を有する筒状のカップ本体と、前記動力源の動力により回転軸周りに回転駆動されるカッター刃が設けられると共に螺着により前記底部開口を封止可能なカップ台と、を有し、
前記本体部に対する前記容器部の螺合解除向きと前記カップ台に対する前記カップ本体の螺合解除向きとが同じ向きになるように構成され、
前記容器部を前記本体部に螺着した状態で、前記カップ本体と前記カップ台とが相対回転しないように規制する規制部が備えられているミキサー。
【請求項２】
前記規制部に、前記本体部から突設される凸部と、前記カップ台に設けられて前記凸部による押圧で上下に変位する変位部と、前記カップ本体の下端に設けられる切欠部と、が設けられ、
前記容器部を前記本体部に載置すると、前記変位部が前記凸部に押し上げられて前記切欠部に入り込むようになっている請求項１に記載のミキサー。
【請求項３】
前記本体部に対する前記容器部の螺合が完全に解除されるまで、前記変位部による前記凸部の押し上げが維持されるように構成されている請求項２に記載のミキサー。
【請求項４】
前記規制部に、前記変位部を前記カップ本体側とは反対の方向へ付勢する付勢部が設けられている請求項２または３に記載のミキサー。
【請求項５】
前記変位部が、前記カップ台に対する前記カップ本体の螺合向きに沿って延びて前記カップ台に対して傾動可能な軸部を有し、
前記変位部は、前記切欠部の箇所まで上がっている状態において前記軸部周りに傾動することで前記切欠部から脱出可能となっている請求項２〜４のいずれか一項に記載のミキサー。
【請求項６】
前記凸部と前記変位部との間に前記変位部の前記軸部周りの傾動を阻止する係止部が設けられている請求項５に記載のミキサー。
【請求項７】
前記カップ本体における前記切欠部の端面に、回転軸を中心とする円の径方向に対して傾斜した第一傾斜部が設けられ、
前記変位部の端面に、前記径方向に対して傾斜して前記第一傾斜部に対向する第二傾斜部が設けられ、
前記カップ台に対する前記カップ本体の螺合解除操作により、前記第一傾斜部で前記第二傾斜部が押圧されて、前記変位部が前記径方向の外側に変位して前記切欠部から脱出するようになっている請求項２〜６のいずれか一項に記載のミキサー。
【発明の詳細な説明】
【技術分野】
【０００１】
本発明は、動力源が収容される本体部と、本体部に螺着され、被調理物を収容可能な容器部と、が備えられているミキサーに関する。
【背景技術】
【０００２】
従来のミキサーが、例えば、特許文献１に開示されている。同文献に記載のミキサーでは、容器部が、底部開口を有する筒状のカップ本体と、動力源の動力により回転駆動されるカッター刃が設けられると共に螺着により底部開口を封止可能なカップ台と、を有している。この構造であれば、カップ本体とカップ台とを螺合解除して分離することにより、洗浄等のお手入れが行い易い。
【０００３】
また、このミキサーでは、本体部に対する容器部の螺合解除向きとカップ台に対するカップ本体の螺合解除向きとが同じ向きになるように構成されている。カップ台に対するカップ本体の螺着力を、本体部に対する容器部の螺着力よりも大きくなるようにしているため、通常は、本体部から容器部を取り外す際に、カップ本体とカップ台との間の螺合が緩むことはない。
【先行技術文献】
【特許文献】
【０００４】
【特許文献１】特開２０１３−１３５７３０号公報
【発明の概要】
【発明が解決しようとする課題】
【０００５】
しかし、上記従来の技術では、部品の寸法誤差や組み付け誤差等が大きい場合や劣化が進行した場合等に、カップ台に対するカップ本体の螺着力や本体部に対する容器部の螺着力が、想定とは異なるものになる可能性があった。
【０００６】
そのような場合、カップ本体を把持して本体部から容器部を取り外そうとすると、本体部から容器部が外れるより先に、カップ台とカップ本体との間の螺合が緩み、被調理物（内容物）の漏れに繋がるおそれがあった。
【０００７】
本発明は、斯かる現状の課題に鑑みてなされたものであり、本体部から容器部を取り外す際にカップ台に対するカップ本体の螺合の緩みにより被調理物が漏れ出ることを防止できるミキサーを提供することを目的とする。
【課題を解決するための手段】
【０００８】
本発明に係るミキサーは、
動力源が収容される本体部と、
前記本体部に螺着され、被調理物を収容可能な容器部と、が備えられ、
前記容器部が、底部開口を有する筒状のカップ本体と、前記動力源の動力により回転駆動されるカッター刃が設けられると共に螺着により前記底部開口を封止可能なカップ台と、を有し、
前記本体部に対する前記容器部の螺合解除向きと前記カップ台に対する前記カップ本体の螺合解除向きとが同じ向きになるように構成され、
前記容器部を前記本体部に螺着した状態で、前記カップ本体と前記カップ台とが相対回転しないように規制する規制部が備えられているものである。
【０００９】
本発明に係るミキサーによれば、本体部から容器部を取り外す際の回動操作において、カップ台に対してカップ本体が相対回転することを防止できる。これにより、本体部から容器部を取り外す際にカップ台に対するカップ本体の螺合の緩みにより被調理物が漏れ出ることを防止できることを効果的に防止できる。
【００１０】
本発明において、
前記規制部に、前記本体部から突設される凸部と、前記カップ台に設けられて前記凸部による押圧で上下に変位する変位部と、前記カップ本体の下端に設けられる切欠部と、が設けられ、
前記容器部を前記本体部に載置すると、前記変位部が前記凸部に押し上げられて前記切欠部に入り込むようになっていると好適である。
【００１１】
本構成によれば、本体部に容器部を載置している状態において、カップ台に対してカップ本体が回転することを防止できる。
【００１２】
本発明において、
前記本体部に対する前記容器部の螺合が完全に解除されるまで、前記変位部による前記凸部の押し上げが維持されるように構成されていると好適である。
【００１３】
本構成によれば、本体部から容器部を取り外すときの回動操作を行っている間、常にカップ台に対してカップ本体が回転することを防止できる。これにより、意図せずにカップ本体とカップ台の螺合が緩むことをより確実に防止できる。
【００１４】
本発明において、
前記規制部に、前記変位部を前記カップ本体側とは反対の方向へ付勢する付勢部が設けられていると好適である。
【００１５】
本構成によれば、本体部から容器部を離間させたときに、付勢部の付勢力により変位部が切欠部から脱出し、規制部によるカップ本体の規制が即座に解除され、カップ台に対するカップ本体の取り外しが行い易くなる。
【００１６】
本発明において、
前記変位部が、前記カップ台に対する前記カップ本体の螺合向きに沿って延びて前記カップ台に対して傾動可能な軸部を有し、
前記変位部は、前記切欠部の箇所まで上がっている状態において前記軸部周りに傾動することで前記切欠部から脱出可能となっていると好適である。
【００１７】
本構成によれば、変位部が切欠部に嵌り込んで変位し難くなった場合でも、軸部周りに傾動させることで切欠部から脱出させることができる。
【００１８】
本発明において、
前記凸部と前記変位部との間に前記変位部の前記軸部周りの傾動を阻止する係止部が設けられていると好適である。
【００１９】
本構成によれば、容器部が本体部に載置されている状態で、意図せずに変位部が傾動してカップ台に対するカップ本体の回動規制が解除されることを防止できる。
【００２０】
本発明において、
前記カップ本体における前記切欠部の端面に、回転軸を中心とする円の径方向に対して傾斜した第一傾斜部が設けられ、
前記変位部の端面に、前記径方向に対して傾斜して前記第一傾斜部に対向する第二傾斜部が設けられ、
前記カップ台に対する前記カップ本体の螺合解除操作により、前記第一傾斜部で前記第二傾斜部が押圧されて、前記変位部が前記径方向の外側に変位して前記切欠部から脱出するようになっていると好適である。
【００２１】
本構成によれば、変位部が切欠部に嵌り込んで変位し難くなった場合でも、カップ台に対するカップ本体の螺合解除操作により、変位部を切欠部から脱出させて、カップ台からのカップ本体の取り外しを確実に行うことができる。
【図面の簡単な説明】
【００２２】
【図１】本発明の一実施形態に係るミキサーの全体構成を示す正面図。
【図２】本発明の一実施形態に係るミキサーの全体構成を示す側面図。
【図３】本発明の一実施形態に係るミキサーの図２におけるＡ−Ａ矢視断面図。
【図４】本発明の一実施形態に係るミキサーの部分断面を含む分解斜視図。
【図５】本体部の部分分解斜視図。
【図６】容器部の部分断面を含む分解斜視図。
【図７】カップ台の分解断面斜視図。
【図８】係合前後における本体部と容器部の境界部を示す部分拡大断面図。
【図９】本体部と容器部が離間している状態を示す部分断面を含む斜視図。
【図１０】本体部への容器部の載置状態を示す部分断面を含む斜視図。
【図１１】本体部への容器部の係合状態を示す部分断面を含む斜視図。
【図１２】変位部の変位状況を示す模式図。
【図１３】変位部の回動状況を示す模式図。
【図１４】変位部の切欠部からの脱出状況を示す斜視図。
【図１５】変位部の切欠部からの脱出状況を示す模式的な平面断面図。
【発明を実施するための形態】
【００２３】
次に、発明の実施の形態を説明する。尚、以下の説明では、図１〜図１４において矢印で示すように、ミキサーの上下方向を規定している。
【００２４】
（ミキサーの全体構成）
図１〜図３に示すミキサー１は、本発明に係るミキサーの一実施形態であり、本体部１０と容器部２０とを備えている。本体部１０は、容器部２０を着脱自在に支持する部位であるとともに、容器部２０を駆動する手段となる部位であり、卓上等の水平面に配置した状態で使用される。容器部２０は、ミキサー１による被調理物（果物、野菜等の食材）を収容可能な容器状の部位であり、本体部１０の上方に配置される。
【００２５】
（本体部）
図３に示すように、本体部１０は、容器部２０を下方より支持する部位であるとともに、容器部２０の刃支持部２３を駆動する駆動機構を備えるものであり、本体ケース１１と本体ケース１１に収容される動力源１２を備えている。
【００２６】
本体ケース１１は、本体部１０の外殻を構成する筐体であり、上端部には上向きの支持面１１ａが形成されている。支持面１１ａには、上方に向けて突出する係合部１１ｂが複数形成されている。また、支持面１１ａの軸心上には、孔部１１ｃが形成されている。また、本体ケース１１の支持面１１ａには、凸部１６を配置するための孔部１１ｄが形成されている。そして、本体ケース１１は、その内部に例えば動力源１２を収容可能な空間が確保されている。
【００２７】
動力源１２は、ミキサー１の駆動源であり、例えば、モータで構成される。動力源１２では、モータブラケット１２ａに対して、コア１２ｂ、ロータ１２ｃ、駆動軸１２ｄ等が組み付けられている。動力源１２は、所謂両軸モータであり、コア１２ｂおよびロータ１２ｃを挟んで軸方向の両側に駆動軸１２ｄが突出されている。駆動軸１２ｄの頂部には、容器部２０側のカップリング（後述する上部カップリング２７）と係合する下部カップリング１７が組み付けられている。
【００２８】
動力源１２は、家庭用コンセント（図示せず）にプラグ１３を差し込むことで電源が供給され、本体部１０の外周面に配置されたスイッチ１４（図１、図２参照）の操作によって、動力源１２のＯＮ−ＯＦＦやモード選択（回転数の変更）を行うことができるように構成されている。また、本体部１０は、本体ケース１１の下端において、複数の脚部１５を備えており、卓上等の水平面に配置可能に構成されている。
【００２９】
図３〜図５に示すように、本体部１０は、本体ケース１１の上面より上方に突出する部位である凸部１６を備えている。凸部１６は、後述する規制部４０の一部を構成するものであり、変位部材１６ａ、ホルダー１６ｂ、バネ１６ｃを備えている。変位部材１６ａは、ホルダー１６ｂの内側において、上下方向に変位可能に構成されている。凸部１６は、本体ケース１１に形成された孔部１１ｄに下方から変位部材１６ａを挿通するとともに、変位部材１６ａが下方よりホルダー１６ｂによって保持され、ホルダー１６ｂをビス１６ｄ・１６ｄで本体ケース１１に取り付けることによって、本体部１０に対して付設されている。バネ１６ｃは、押し縮められた状態で、変位部材１６ａとホルダー１６ｂの間に介設されており、バネ１６ｃによって、変位部材１６ａを常時上側に変位するように付勢している。なお、変位部材１６ａの下端部は折り返し形状を有し孔部１１ｄよりも大きい外形となっており、折り返し形状によって、変位部材１６ａが孔部１１ｄから抜けないように構成するとともに、変位部材１６ａの最高位置を定めている。
【００３０】
（容器部）
図３、図６、図７に示すように、容器部２０は、カップ本体２１とカップ台２２と刃支持部２３とを備えている。カップ本体２１は、略円筒状の部位であり、カップ台２２と刃支持部２３によって下端部を封止することによって、被調理物を収容可能なカップ本体状に構成される。カップ台２２は、略円筒状の部位であり、容器部２０の下部を構成し、容器部２０を本体部１０に連結可能とする部位である。刃支持部２３は、カップ本体２１の底部を封止するとともに、カップ本体２１の内部において、動力源１２の動力により回転軸周りに回転駆動されるカッター刃２４を支持する部位であり、カップ本体２１とカップ台２２によって挟持されている。
【００３１】
カップ本体２１は、略円筒状の部位である側周部２１ａと、側周部２１ａの下端に連続する底部２１ｂを備えている。筒状のカップ本体２１は、底部２１ｂの中心において、カップ本体２１の下端側の開口となる底部開口２１ｃを有している。また、カップ本体２１は、底部開口２１ｃの周縁部２１ｄがさらに下端側に向けて延設されており、周縁部２１ｄの周囲に雄ネジ２１ｅが形成されている。カップ本体２１の内面には、底部２１ｂから側周部２１ａに至る範囲で連続してカップ本体２１の径方向内側へ突出する突出部であるリブ部２１ｆが形成されている。リブ部２１ｆは、底部２１ｂから離間するほど、側周部２１ａ内面からの高さおよび幅が小さくなる形状となっている。また、カップ本体２１は、外周面において取手２１ｇを備えており、食材を投入するための上端開口は蓋２１ｈによって封止可能に構成されている。
【００３２】
そして、カップ本体２１は、周縁部２１ｄの下端において、周縁部２１ｄの一部を切り欠いた部位である切欠部２８が形成されている。切欠部２８は、カップ本体２１の下端側に向けて開放されている部位であり、カップ台２２に付設された変位部３０に対応する位置に形成されている。
【００３３】
カップ台２２は、動力源１２の動力により回転軸２６周りに回転駆動されるカッター刃２４が設けられると共に螺着により底部開口２１ｃを封止可能となっている。また、カップ台２２は、略円筒状の部材により構成され、その円筒の内部において、軸心方向に垂直な支持面１１ａを備えた支持部２２ａが形成されている。また、カップ台２２は、支持部２２ａの軸心上に孔部２２ｂが形成されている。そして、カップ台２２の内周面には、雌ネジ２２ｃが形成されている。
【００３４】
そして、カップ本体２１とカップ台２２は、カップ本体２１の雄ネジ２１ｅとカップ台２２の雌ネジ２２ｃを螺合して一体化できるように構成されている。
【００３５】
そして、支持部２２ａには、カップ本体２１とカップ台２２を螺合した状態で切欠部２８の下方にあたる位置において、図７に示すような挿通孔２２ｄが形成されている。挿通孔２２ｄは、変位部３０のロッド部３０ａを挿通するための孔部である。また、挿通孔２２ｄは、容器部２０を本体部１０上部の所定位置（後述するロック位置および載置位置）に配置した状態において、凸部１６の上方にあたる位置に形成されている。
【００３６】
また、カップ台２２は、下方に向けて突出する部位である係合部２２ｅを備えている。係合部２２ｅは、本体部１０の上面に形成された係合部１１ｂと互いに係合しあうように一部をかぎ状とした部位であり、係合部１１ｂに対応する個数が形成されている。
【００３７】
本体部１０とカップ台２２は、図８に示すように、支持面１１ａの所定位置にカップ台２２を位置決めして配置した後に、カップ台２２を平面視における時計回りに回転させることによって、本体部１０側の係合部１１ｂとカップ台２２側の係合部２２ｅが嵌りあって係合されるように構成している。
【００３８】
図３、図４、図６、図７に示すように、カップ台２２は、支持部２２ａの上面より突出するように変位可能な変位部３０を備えている。変位部３０は、後述する規制部４０の一部を構成するものであり、切欠部２８に対して抜き差し可能に構成され、ロッド部３０ａと、係止部３０ｂと、軸部３０ｃを備えている。ロッド部３０ａは、変位部３０の上端部を構成しており、切欠部２８に対して抜き差しされる部位である。係止部３０ｂは、変位部３０の下端部を構成しており、変位部材１６ａに当接可能であるとともに、変位部材１６ａの上端に形成された係止部１６ｅと係止可能な部位である。軸部３０ｃは、ロッド部３０ａと係止部３０ｂの中間位置で水平方向に延設されており、軸方向に直交する断面が長円状である形態を有している。軸部３０ｃは、カップ台２２に対するカップ本体２１の螺合向きに沿って延びてカップ台２２に対して傾動可能となっている。
【００３９】
図６、図７に示すように、変位部３０は、ホルダー３１の内側において、上下方向に変位可能に構成されている。変位部３０は、カップ台２２に形成された挿通孔２２ｄに下方からロッド部３０ａを挿通するとともに、下方からホルダー３１によって保持され、ホルダー３１をビス３３・３３で取り付けることによって、カップ台２２に対して付設されている。ホルダー３１は、変位部３０を保持する部位であり、基体部３１ａ、溝部３１ｂ、拡大部３１ｃが形成されている。溝部３１ｂは、基体部３１ａにおいて上下方向に延設された溝状の部位であり、溝部３１ｂにおいて、変位部３０の軸部３０ｃを保持している。ここで、軸部３０ｃは長円状の形態を有しているため、変位部３０は、軸部３０ｃが溝部３１ｂに沿っている状態では回動不能とされ、上下方向への変位のみが許容されるように構成されている。
【００４０】
拡大部３１ｃは、溝部３１ｂの上部に形成されている部位であり、軸部３０ｃが回転可能となる幅に拡大されている。このような構成により、変位部３０は、軸部３０ｃが拡大部３１ｃに位置する状態では、溝部３１ｂによる規制が解除されて軸部３０ｃ回りの回動が許容されるように構成されている。
【００４１】
図３に示すように、刃支持部２３は、カッター刃２４と軸受ケース２５と回転軸２６と上部カップリング２７を備えている。刃支持部２３は、カップ本体２１の内部で回転するカッター刃２４を回転可能に支持する部位である。
【００４２】
軸受ケース２５は、回転軸２６を回転自在に支持する部位であり、カップ本体２１の底部開口２１ｃの内径に対応する略円柱状の基台部２５ａと、基台部２５ａの中心軸上に形成された略円柱状の軸受部２５ｂと、基台部２５ａから径方向外側に拡径された拡径部２５ｃを備えている。
【００４３】
回転軸２６は、軸受部２５ｂにおいて、軸受部材２５ｄを介して、軸受ケース２５の中心軸上で回転可能に支持されている。回転軸２６の上端部には、カッター刃２４が固定されており、回転軸２６の下端部には、上部カップリング２７が固定されている。
【００４４】
（規制部）
図３および図８に示すように、ミキサー１には、容器部２０を本体部１０に螺着した状態で、カップ本体２１とカップ台２２とが相対回転しないように規制する規制部４０が備えられている。規制部４０には、本体部１０から突設される凸部１６と、カップ台２２に設けられて凸部１６による押圧で上下に変位する変位部３０と、カップ本体２１の下端に設けられる切欠部２８と、が設けられている。説明を加えると、規制部４０は、本体部１０とカップ本体２１とカップ台２２を着脱可能な構成としたミキサー１において、本体部１０から容器部２０を外すときに、カップ本体２１とカップ台２２の螺合が緩むことがないように、カップ本体２１の回転を規制するための手段である。
【００４５】
（規制部の作動状況）
ここでは、本体部１０に対して容器部２０を取り付ける際の規制部４０の作動状況について説明をする。なお、本実施形態で例示する容器部２０は、平面視において、カップ台２２に対してカップ本体２１を時計回りに回転させることで、カップ台２２に対してカップ本体２１を螺合させることができるように構成されている。換言すると、容器部２０は、平面視において、カップ台２２に対してカップ本体２１を反時計回りに回転させることで、カップ台２２に対するカップ本体２１の螺合が緩むように構成されている。
【００４６】
図９に示すように、規制部４０には、変位部３０をカップ本体２１側とは反対の方向へ付勢する例えばバネで構成される付勢部３２が設けられている。本体部１０に取り付けられる前の容器部２０においては、変位部３０が付勢部３２によって付勢されて下がっており、変位部３０のロッド部３０ａは、切欠部２８に挿入されていない状態となっている。ここから本体部１０に対して容器部２０を位置決めしつつ、容器部２０を降下させていくと、本体部１０の凸部１６に変位部３０の係止部３０ｂが接触するようになる（図１２上図参照）。
【００４７】
次に、図１０に示すように、本体部１０に対して容器部２０を位置決めしつつ、容器部２０をさらに降下させていき、変位部３０が本体部１０の凸部１６によって押圧されるようになると、付勢部３２のバネ力に抗して変位部３０が上側に変位される（図１２中図参照）。なお、変位部３０を付勢する付勢部３２のバネ力は、凸部１６の変位部材１６ａを付勢するバネ１６ｃのバネ力に比して小さくしている。このため、変位部３０が凸部１６に押圧されたときには、変位部３０は上方へ変位するが、変位部材１６ａは下方へ変位することがない。
【００４８】
そして、容器部２０を本体部１０と係止させることが可能な所定高さまで降下させたとき、容器部２０が本体部１０上に載置され、このときに変位部３０のロッド部３０ａがカップ本体２１の切欠部２８に挿入された状態となる。つまり、容器部２０を本体部１０に載置すると、変位部３０が凸部１６に押し上げられて切欠部２８に入り込むようになっている。ここで変位部３０は、カップ本体２１に対するかんぬきとして機能するため、変位部３０によって、カップ台２２に対するカップ本体２１の回転が規制される。なお、このときの所定高さまで降下させたときの容器部２０の位置は、本体部１０と容器部２０がまだ係合されておらず、ミキサー１を使用することができない位置であり、以下では載置位置と呼ぶ。
【００４９】
即ち、ミキサー１の規制部４０は、本体部１０の支持面１１ａより突設された凸部１６と、カップ台２２によって容器部２０の軸心方向に変位可能に支持された変位部３０と、カップ本体２１の一端側の開口の周縁部２１ｄに形成された切欠部２８と、を含み、容器部２０を本体部１０に載置したときに、変位部３０が凸部１６に当接され、変位部３０がカップ本体２１側に変位されるとともに切欠部２８に挿入されるものである。このような構成によれば、本体部１０に容器部２０を載置している状態において、カップ台２２に対してカップ本体２１が回転することを防止できる。
【００５０】
次に、図１１に示すように、本体部１０に対して容器部２０を載置している状態から、容器部２０を平面視における時計回りに回転させることで、係合部１１ｂ・２２ｅ同士が係合し合ってロックされ、容器部２０が本体部１０上の所定位置に配置される。なお、このときの容器部２０の所定位置は、ミキサー１を使用できる位置であり、以下ではロック位置と呼ぶ。
【００５１】
ミキサー１では、図１０および図１１に示すように、容器部２０が載置位置からロック位置に回転される間において、変位部３０のロッド部３０ａがカップ本体２１の切欠部２８に挿入された状態が維持されている。
【００５２】
即ち、ミキサー１の規制部４０は、容器部２０を本体部１０に係止させたときに、変位部３０が凸部１６に当接されるものである。説明を加えると、規制部４０は、本体部１０に対する容器部２０の螺合が完全に解除されるまで、変位部３０による凸部１６の押し上げが維持されるように構成されている。このような構成によれば、本体部１０に容器部２０を係止している状態において、カップ台２２に対してカップ本体２１が回転することを防止できる。本体部１０から容器部２０を外すときの容器部２０の回動操作を行っている間、常にカップ台２２に対してカップ本体２１が回転することを防止できる。これにより、意図せずにカップ本体２１とカップ台２２の螺合が緩むことをより確実に防止できる。
【００５３】
次に、ミキサー１による調理が終了し、本体部１０から容器部２０を取り外す場合には、図１１に示す状態から、容器部２０を平面視における反時計回りに回転させて、容器部２０をロック位置から載置位置に回転させる。ミキサー１では、容器部２０がロック位置から載置位置に回転される間においても、変位部３０のロッド部３０ａがカップ本体２１の切欠部２８に挿入された状態が維持されている。
【００５４】
ミキサー１の容器部２０は、平面視において、カップ台２２に対してカップ本体２１を反時計回りに回転させることで、カップ台２２に対するカップ本体２１の螺合が緩むように構成されており、これらの螺合解除向きと、容器部２０をロック位置から載置位置に回転させるときの容器部２０の回転向きとは一致している。説明を加えると、本体部１０に対する容器部２０の螺合解除向きとカップ台２２に対するカップ本体２１の螺合解除向きとが同じ向きになるように構成されている。このため、ミキサー１では、ユーザーが容器部２０をロック位置から載置位置に回転させる操作を行ったときに、その操作力がカップ本体２１とカップ台２２の螺合を緩ませることに費やされる可能性がある。
【００５５】
しかしながら、ミキサー１では、容器部２０がロック位置から載置位置に回転される間においても、変位部３０のロッド部３０ａがカップ本体２１の切欠部２８に挿入された状態が維持されているため、仮に上記操作力がカップ本体２１に作用したとしても、変位部３０によってカップ本体２１の回転が規制されるため、カップ本体２１とカップ台２２の螺合が緩むことがない。
【００５６】
即ち、本発明の一実施形態に係るミキサー１は、略円筒状のカップ本体２１と、カップ本体２１の軸心方向における一端側の開口を封止するカップ台２２と、を有し、カップ本体２１の一端側の開口の周縁部２１ｄに形成された雄ネジ２１ｅをカップ台２２の内周面に形成された雌ネジ２２ｃに対して螺合向きにねじ込んで構成される容器部２０と、カップ本体２１の筒軸を上下方向に向け、かつ、カップ本体２１の一端側を下方に向けた姿勢の容器部２０を支持する上向きの支持面１１ａと、支持面１１ａに形成されたカップ台２２を係止する係合部１１ｂと、を有し、容器部２０を、支持面１１ａに載置した後に螺合向きへ回転させて、係合部１１ｂによって、容器部２０を係止可能に構成した本体部１０と、を備え、容器部２０を本体部１０に係止させた状態において、カップ本体２１とカップ台２２との螺合向きと、本体部１０に対する容器部２０の螺合向きとが、カップ本体２１の軸心方向視において一致しているものであって、支持面１１ａに載置した容器部２０のカップ本体２１がカップ台２２に対して回転することを規制する規制部４０を備えるものである。このような構成によれば、本体部１０とカップ本体２１とカップ台２２を着脱可能なミキサー１において、本体部１０から容器部２０を外すときの容器部２０の回動操作によって、カップ台２２に対してカップ本体２１が回転することを防止できる。これによって、意図せずにカップ本体２１とカップ台２２の螺合が緩むことを防止できる。
【００５７】
なお、上記説明では、本体部１０に取り付ける際に、既に容器部２０が構成されている場合について説明を行ったが、ミキサー１では、本体部１０に対して、まずカップ台２２を取り付けておき、本体部１０上のカップ台２２に対してカップ本体２１を取り付けていく、という作業手順とすることも可能である。
【００５８】
ここでは、本体部１０に対してカップ台２２のみを取り付け、その後、本体部１０上のカップ台２２に対してカップ本体２１を取り付ける際の規制部４０の作動状況について説明をする。
【００５９】
本体部１０に対してカップ台２２を位置決めしつつ、カップ台２２を降下させていくと、本体部１０の凸部１６によって変位部３０が押圧され、付勢部３２のバネ力に抗して変位部３０が上側に変位される。そして、カップ台２２を本体部１０と係止させることが可能な所定高さまで降下させたとき、カップ台２２が本体部１０上に載置される。このとき、変位部３０のロッド部３０ａは、カップ本体２１の切欠部２８に挿入可能な高さまで上側に変位している。
【００６０】
次に、本体部１０に対してカップ台２２を載置している状態から、カップ台２２を平面視における時計回りに回転させることで、係合部１１ｂ・２２ｅ同士が係合し合ってロックされ、カップ台２２が本体部１０上の所定位置に配置される。
【００６１】
次に、本体部１０上の所定位置に配置されているカップ台２２の雌ネジ２２ｃに対して、カップ本体２１の雄ネジ２１ｅをねじ込んでいき、カップ台２２に対してカップ本体２１を螺合させる。螺合途中において、カップ本体２１の下端が変位部３０のロッド部３０ａに当接すると、変位部３０を介して凸部１６の変位部材１６ａが下降するため、変位部３０が障害となることなく、カップ台２２に対するカップ本体２１の螺合が進行する。
【００６２】
そして、カップ本体２１がカップ台２２に対して最終位置までねじ込まれたとき、カップ本体２１の切欠部２８は、変位部３０の直上に位置することとなり、このとき、凸部１６のバネ１６ｃ・１６ｃのバネ力によって変位部３０が上方に変位され、ロッド部３０ａがカップ本体２１の切欠部２８に挿入される。
【００６３】
つまり、ミキサー１では、凸部１６を上下に変位可能な構成とすることによって、カップ台２２とカップ本体２１を順次本体部１０に取り付ける手順を採用することが可能になり、同手順を採用した場合であっても、容器部２０を本体部１０に取り付けた場合と同様に、最終的には図１１に示すような状態となり、変位部３０のロッド部３０ａがカップ本体２１の切欠部２８に挿入され、カップ台２２に対するカップ本体２１の回転を規制できる。
【００６４】
なお、本実施形態で示したミキサー１では、変位部３０が載置位置とロック位置のいずれにある場合にも、凸部１６の変位部材１６ａが、変位部３０に接触する構成としているが、変位部材１６ａを、ロック位置における変位部３０に接する位置のみに配置し、載置位置における変位部３０に接する位置には固定された凸部１６を配置する構成としてもよい。
【００６５】
（規制部の解除方法について）
ミキサー１では、図１２下図に示すように、本体部１０から容器部２０が取り外されて、凸部１６と変位部３０が離間したときには、変位部３０が、付勢部３２の付勢力によって下方に変位して、規制部４０が解除される。この状態は、図９に示す状態と同様である。なお、この状態では、変位部３０は、軸部３０ｃが溝部３１ｂに位置しているため、溝部３１ｂによって軸部３０ｃの回動が規制されている。
【００６６】
即ち、ミキサー１の規制部４０は、変位部３０をカップ本体２１側とは反対の方向へ常時付勢する付勢部３２を備え、容器部２０が支持面１１ａから離間するときに、付勢部３２によって、変位部３０が切欠部２８から脱出する方向へ変位されるものである。このような構成によれば、本体部１０から容器部２０を離間させたときに、規制部４０によるカップ本体２１の規制を即座に解除できる。
【００６７】
なお、変位部３０は、図１２中図に示すように、変位部３０と凸部１６が接している間は、凸部１６の係止部１６ｅによって、変位部３０の係止部３０ｂが係止され、変位部３０の回動が規制される。
【００６８】
即ち、ミキサー１の容器部２０は、変位部３０が切欠部２８に挿入されていない位置に変位しているときに、凸部１６と変位部３０とを係合させる係止部１６ｅ・３０ｂを備えるものである。説明を加えると、凸部１６と変位部３０との間に変位部３０の軸部３０ｃ周りの傾動を阻止する係止部１６ｅ・３０ｂが設けられている。
【００６９】
このような構成によれば、変位部３０が軸部３０ｃ回りに回動可能な構成において、容器部２０が本体部１０に載置されているときに、変位部３０が回動軸回りに回動することを防止できる。これにより、規制部４０によるカップ本体２１の規制が、意図せずに解除されることを防止できる。
【００７０】
さらに、ミキサー１では、図１３上図に示すように、本体部１０から容器部２０が取り外されているにも関わらず、ロッド部３０ａが切欠部２８に挿入されたままになってしまった場合（即ち、変位部３０が付勢部３２の付勢力によって下方に変位しなかった場合）にも、確実に規制部４０を解除できるように構成されている。
【００７１】
具体的には、ミキサー１では、図１３下図に示すように、本体部１０から容器部２０が取り外されて変位部３０と凸部１６が離間しているにも関わらず、変位部３０が下降しなかった場合には、軸部３０ｃが拡大部３１ｃに配置されており、変位部３０が軸部３０ｃ回りに回動できるように構成されている。
【００７２】
図１４および図１５に示すように、ミキサー１では、切欠部２８の側面の一部に第一傾斜部２９を形成している。説明を加えると、カップ本体２１における切欠部２８の端面に、回転軸２６を中心とする円の径方向に対して傾斜した第一傾斜部２９が設けられている。第一傾斜部２９は、カップ台２２に対するカップ本体２１の螺合向きにおいて、切欠部２８の前側に位置する周方向内側面２８ａとカップ本体２１の外周面２１ｋとを接続する傾斜面である。
【００７３】
また、ミキサー１では、ロッド部３０ａの側面の一部にも第二傾斜部３５を形成している。説明を加えると、変位部３０の端面に、径方向に対して傾斜して第一傾斜部２９に対向する第二傾斜部３５が設けられている。第二傾斜部３５は、カップ台２２に対するカップ本体２１の螺合向きにおいて、ロッド部３０ａの前側に位置する周方向外側面３０ｄとロッド部３０ａの内周面３０ｅとを接続する傾斜面である。
【００７４】
図１５に示すように、切欠部２８にロッド部３０ａが挿入された状態において、第一傾斜部２９と第二傾斜部３５は対面しており、カップ台２２に対してカップ本体２１を螺合向きと反対の向き（即ち、螺合解除向き）に回転させることによって、第一傾斜部２９によって第二傾斜部３５を押圧できるように構成されている。図１４および図１５に示すように、第二傾斜部３５が第一傾斜部２９によって押圧されることで、ロッド部３０ａには、カップ本体２１の径方向外側へと向かう外力が付与される。変位部３０は、この外力によって、軸部３０ｃを軸心としてロッド部３０ａがカップ本体２１の径方向外側へ変位する方向に回動され、ロッド部３０ａが切欠部２８から脱出される。このように、カップ台２２に対するカップ本体２１の螺合解除操作により、第一傾斜部２９で第二傾斜部３５が押圧されて、変位部３０が径方向の外側に変位して切欠部２８から脱出するようになっている。また、変位部３０は、切欠部２８の箇所まで上がっている状態において軸部３０ｃ周りに傾動することで切欠部２８から脱出可能となっている。
【００７５】
即ち、ミキサー１の変位部３０は、容器部２０の筒軸を中心とした円の接線方向に対して平行な軸部３０ｃを有し、カップ台２２に対して軸部３０ｃが回動可能に支持され、切欠部２８に挿入されている位置まで変位しているときに、軸部３０ｃ回りに回動可能に構成されており、切欠部２８から径方向外側に脱出可能に構成されている。このような構成によれば、変位部３０が軸心方向に変位不能となった場合であっても、規制部４０によるカップ本体２１の規制を確実に解除できる。
【００７６】
また、ミキサー１のカップ本体２１は、螺合向きにおいて切欠部２８の前側に位置する周方向内側面２８ａと周縁部２１ｄの外周面２１ｋとを接続する第一傾斜部２９を備え、変位部３０は、螺合向きにおいて変位部３０のロッド部３０ａの前側に位置する周方向外側面３０ｄとロッド部３０ａの内周面３０ｅとを接続する第二傾斜部３５を備え、カップ本体２１とカップ台２２との螺合を解除するとき、第一傾斜部２９によって第二傾斜部３５が押圧され、変位部３０のロッド部３０ａが、切欠部２８からカップ本体２１の径方向外側に変位されるものである。このような構成によれば、変位部３０が軸心方向に変位不能となった場合であっても、カップ本体２１をカップ台２２に対して螺合解除向きに回転させるだけで、変位部３０を軸部３０ｃ回りに回動させることができる。これにより、規制部４０によるカップ本体２１の規制を確実に解除できる。
【００７７】
このような構成のミキサー１は、カップ本体２１とカップ台２２の螺合を解除しようとする自然な動作（カップ本体２１をカップ台２２に対して螺合解除向きに回す動作）によって、ロッド部３０ａを切欠部２８から確実に脱出させることができるため、規制部４０が解除できなくなることもなく、従来と同じ操作で使用できる。
【符号の説明】
【００７８】
１            ：ミキサー
１０          ：本体部
１２          ：動力源
１６          ：凸部
１６ｅ・３０ｂ：係止部
２０          ：容器部
２１          ：カップ本体
２１ｃ        ：底部開口
２２          ：カップ台
２４          ：カッター刃
２６          ：回転軸
２８          ：切欠部
２９          ：第一傾斜部
３０          ：変位部
３０ｃ        ：軸部
３１ｂ        ：溝部
３２          ：付勢部
３５          ：第二傾斜部
４０          ：規制部
【図１】
2020014547.tif 000003
【図２】
2020014547.tif 000004
【図３】
2020014547.tif 000005
【図４】
2020014547.tif 000006
【図５】
2020014547.tif 000007
【図６】
2020014547.tif 000008
【図７】
2020014547.tif 000009
【図８】
2020014547.tif 000010
【図９】
2020014547.tif 000011
【図１０】
2020014547.tif 000012
【図１１】
2020014547.tif 000013
【図１２】
2020014547.tif 000014
【図１３】
2020014547.tif 000015
【図１４】
2020014547.tif 000016
【図１５】
2020014547.tif 000017